(57)【要約】【課題】  被検体に精神的ゆとりを与え被検体を同じ位置に保つことができる寝台装置を提供する。【解決手段】  被検体Ｐが載置される天板１１と、天板１１の巾方向の両端近傍に対向して設けられた少なくとも１対のサイド保持部３と、サイド保持部３の保持具３２の圧力を制御する圧力制御部６と、天板１１及びサイド保持部３を移動する移動機構部４とを備え、保持具３２を被検体Ｐの両側面に当接させて被検体Ｐを保持する。【選択図】  図２
2006136618.tif 000002
【特許請求の範囲】
【請求項１】
被検体が載置される天板と、
前記天板の巾方向の両端近傍に対向し、且つ前記被検体の両側面に当接するように設けられた少なくとも１対の保持手段と、
前記保持手段の被検体への当接圧力を制御する圧力制御手段と、
前記天板及び前記保持手段を移動させる移動手段とを
備えたことを特徴とする寝台装置。
【請求項２】
前記保持手段は、前記被検体の両側面に当接する保持具を有し、前記圧力制御手段が前記保持具の内部圧力を制御するようにしたことを特徴とする請求項１に記載の寝台装置。
【請求項３】
前記保持手段は、ガイドにより前記保持具の上側及び前記天板の巾方向の前記保持具の外側を保持するようにしたことを特徴とする請求項２に記載の寝台装置。
【請求項４】
前記保持手段は、前記保持具を温度制御手段により温度を制御するように構成されていることを特徴とする請求項２に記載の寝台装置。
【請求項５】
前記保持手段は、前記天板の巾方向の両端部に連結された支持台上を前記天板の巾方向に移動可能に支持されていることを特徴とする請求項１乃至請求項４のいずれか１項に記載の寝台装置。
【請求項６】
前記保持手段は、前記支持台により前記天板の上面よりも下側へ移動可能に支持されていることを特徴とする請求項５に記載の寝台装置。
【請求項７】
前記保持手段は、Ｘ線透過性に優れた材料で形成されていることを特徴とする請求項１に記載の寝台装置。
【請求項８】
前記保持手段は、非磁性体材料にて形成されていることを特徴とする請求項１に記載の寝台装置。
【発明の詳細な説明】
【技術分野】
【０００１】
本発明は、画像診断装置、放射線治療装置などに用いられる寝台装置に関する。
【背景技術】
【０００２】
肉腫、癌腫などの悪性腫瘍、骨腫などの良性腫瘍、ケロイド等の治療法の１つに放射線治療がある。この放射線治療は、診察、治療計画、放射線の照射の３つのステップに分けることができる。
【０００３】
診察のステップでは、専門の担当医師が被検体をＸ線診断装置、Ｘ線ＣＴ装置、磁気共鳴診断装置などの画像診断装置を用いて診察及び検査した後、検査結果を参考にして被検体の治療部位、放射線治療装置の種類、照射する放射線量などを決定する。
【０００４】
治療計画のステップでは、実際に放射線を照射する前に、最適な照射範囲や方向を決定するために、寝台装置の天板上に治療する体位で被検体を載置し、位置決め用の画像診断装置の撮影部にその天板を移動して被検体の撮影が行われる。そして、その画像診断装置の撮影結果に基づいて、被検体の放射線照射部位の皮膚面にマーキングが行われる。
【０００５】
放射線の照射ステップでは、寝台装置の天板上に治療する体位で被検体を載置した状態で、放射線治療装置の放射線照射部へ天板を移動し、被検体のマーキングされた部位に放射線を照射して治療が行われる。
【０００６】
しかしながら、治療計画のステップでは、撮影中に天板上の被検体が動いてしまうことにより、被検体のマーキング位置がずれる恐れがある。また、放射線の照射ステップでは、治療計画のステップにおけるマーキング位置のずれや、治療中に天板上の被検体が動いてしまうことによる位置ずれが原因で、治療部位に十分な放射線が当たらなかったり、回りの正常部分に悪影響を及ぼす恐れがある。
【０００７】
このように、長時間の診断や治療で被検体が同じ状態を保つのが困難な場合、被検体が子供などのように不安感から動いてしまう場合、更には被検体が本人の意思とは関係なく動いてしまう場合などにおける被検体の位置ずれを防ぐために、撮影や治療の際に被検体に支え具を用いて支持する等の対策が採られている（例えば、特許文献１参照。）。
【０００８】
また、被検体の位置ずれを防ぐために、被検体にベルトを巻きつけて天板上に固定する等の対策が採られているものもある。
【特許文献１】特開平１１−２９０２９０号公報
【発明の開示】
【発明が解決しようとする課題】
【０００９】
しかしながら、ベルトを被検体に巻きつけて固定した場合、巻きつけ部分全体から与えられる圧迫感や、ベルトを巻きつけることによって恐怖感を抱かせ、被検体に精神的負担を与えてしまう問題がある。
【００１０】
本発明は、上記問題点を解決するためになされたもので、被検体に精神的ゆとりを与えた状態で被検体を同じ位置に保つことができる寝台装置を提供することを目的とする。
【課題を解決するための手段】
【００１１】
上記問題を解決するために、請求項１に係る本発明の寝台装置は、被検体が載置される天板と、前記天板の巾方向の両端近傍に対向し、且つ前記被検体の両側面に当接するように設けられた少なくとも１対の保持手段と、前記保持手段の被検体への当接圧力を制御する圧力制御手段と、前記天板及び前記保持手段を移動させる移動手段とを備えたことを特徴とする。
【発明の効果】
【００１２】
本発明によれば、天板上に載置された被検体の両側面から一定の面圧で被検体を保持することにより、被検体に対して圧迫感を和らげ精神的ゆとりを与えることができるので、診断及び治療を正確に行うことができる。
【発明を実施するための最良の形態】
【００１３】
本発明の実施例を説明する。
【実施例】
【００１４】
以下、本発明の寝台装置の実施例を、図１乃至図３を参照して説明する。
【００１５】
図１は、本発明による寝台装置の実施例の構成を示した斜視図である。この寝台装置１０は、被検体Ｐを保持する保持部１と、保持部１を支持すると共に駆動する寝台部２とを備えている。
【００１６】
保持部１は、被検体Ｐを載置する天板１１と、この天板１１の巾方向の両端に互いに対向して設けた１対のサイド保持部３から構成され、このサイド保持部３の保持具３２で被検体Ｐを両側面から保持するようになっている。
【００１７】
長方形の天板１１には、例えばＸ線透過性に優れ、非磁性体のカーボンコンポジット材などが用いられる。
【００１８】
サイド保持部３は、天板１１上の巾方向両側端部に夫々天板１１の長手方向に亘って配置されたガイド支持台３１と、このガイド支持台３１上の長手方向に、分割して配置された保持具３２を保持するガイド３４とを備えている。
【００１９】
次に、図２を参照して、サイド保持部３の構成の詳細を説明する。図２は、図１の寝台装置１０を保持部１の長手方向から見た図である。
【００２０】
サイド保持部３のガイド支持台３１は、天板１１と同様の材質からなり、夫々一端面が天板１１の巾方向両端面に連結固定されており、ガイド支持台３１の上面と天板１１の上面は、共に水平に配置されて同一面を形成している。
【００２１】
サイド保持部３の各保持具３２は、ガイド支持台３１の上面及び天板１１の上面に亘って、且つ天板１１の長手方向に離間して配置された各ガイド３４によって保持される。そして、この各保持具３２は、被包と、この被包内に封入された封入体と、詳細を後述する圧力制御部のチューブの一端に接続される封入体注入口と、温度制御部のチューブの一端に接続される封入体入口及び排出口とを備えている。
【００２２】
また、保持具３２の被包は、その材質がＸ線透過性に優れ、非磁性体のポリウレタン、ビニールレザー、シリコーンゴムなどからなり、被検体Ｐに対して適度に柔軟で弾力を有するものが使用される。
【００２３】
ガイド３４は、例えばＸ線透過性に優れ、非磁性体のポリカーボネートなどが用いられ、側板３４ａ及び上板３４ｂで逆Ｌ字形に形成されており、側板３４ａと上板３４ｂとが回動可能に連結されている。
【００２４】
側板３４ａは、側板本体３４ｇと、側板本体３４ｇの下端に固定されたアーム３４ｃと、このアーム３４ｃに固定された軸３４ｄと、側板３４ａを固定するねじ３４ｅと、上板３４ｂを固定するねじ３４ｆから構成されている。
【００２５】
アーム３４ｃは、ガイド支持台３１の上面の天板１１端部近傍、ガイド支持台３１の外側端面、及びガイド支持台３１の下面の外側端部に亘って、且つガイド支持台３１の長手方向に連続的に設けられたスリットに係合している。
【００２６】
軸３４ｄは、ガイド支持台３１内部に水平に且つガイド支持台３１の長手方向に平行に配置され、ガイド支持台３１の外側端部近傍と天板１１の端部近傍間を矢印Ｌ１方向へ水平移動できるようになっている。
【００２７】
ねじ３４ｅは、側板３４ａの長手方向の一端面の下部で、ガイド支持台３１の上面に当接する位置に配置されたねじ保持部のねじ穴に係合し、側板３４ａをガイド支持台３１上の任意の位置に固定するために設けられている。また、ねじ３４ｆは、側板３４ａに連結された上板３４ｂを固定するために設けられている。
【００２８】
従って、ガイド３４の側板３４ａは、支持台３１の上面に垂直の状態でガイド支持台３１上をＬ１方向に水平移動可能に保持され、またサイド支持台３４上の任意の位置で固定することができる。更にガイド支持台３１の外側端部の位置においては、夫々矢印Ｒ１、Ｒ３方向に回動可能になっている。
【００２９】
更に、側板３４ａには、その内側の面に接着テープなどが貼付され、保持具３２の一部が着脱可能に接着されている。
【００３０】
そして、側板３４ａをガイド支持台３１上に垂直に配置し、且つ上板３４ｂをガイド支持台３１に対して水平に固定することにより、保持具３２をガイド支持台３１と天板１１、側板３４ａ、及び上板３４ｂの三方向から支持することができるようになっている。
【００３１】
また、後述する操作部からの操作で保持具３２の体積を縮小させた後、ガイド３４の側板３４ａの、ガイド支持台３１との固定を解除し、ガイド支持台３１の外側の端部の位置で側板３４ａを矢印Ｒ１、Ｒ３方向に回動して、図２に破線で示したガイド支持台３１の下側の位置まで下げる。更に、上板３４ｂの側板３４ａとの固定を解除し、上板３４ｂを矢印Ｒ２、Ｒ４方向に回動して、図２の破線で示した側板３４ａの下側の位置まで下げることにより、保持部１の上面を平坦にすることができる。
【００３２】
なお、ガイド３４は、ガイド支持台３１に対して着脱可能になっているので、大人、子供などの被検体Ｐの体形に合わせて、ガイド３４の側板３４ａ及び上板３４ｂの長辺または短辺の長さの異なるものに取り替えるようにしてもよい。また、保持具３２もガイド３４と同様に、ガイド３４に合わせて取り替えるようにしてもよい。
【００３３】
また、２対以上の保持具３２及びガイド３４をガイド支持台３１に設定するようにしてもよい。
【００３４】
次に、図３を参照して寝台部２を説明する。図３は、寝台装置１０の全体構成を示したブロック図である。
【００３５】
寝台部２は、保持部１の下側に配置され、その内部に保持部１を駆動する移動機構部４と、保持部１の各サイド保持部３毎に保持具３２内部の圧力及び温度を制御する保持機構部５と、移動機構部４、保持機構部５などの各ユニットを統括して制御する寝台制御部９とを備え、またその外側に移動機構部４及び保持機構部５を操作する操作部８を備えている。
【００３６】
移動機構部４は、保持部１を上下する上下駆動機構、長手方向に水平駆動する水平駆動機構、及び水平方向に回動する回動機構などの移動機構４１と、移動機構４１を制御する移動機構制御部４２とを備え、保持部１の天板１１上に載置される被検体Ｐが最適な位置になるように保持部１を移動する。
【００３７】
保持機構部５は、各サイド保持部３の保持具３２毎に保持具３２内部の圧力を制御する圧力制御部６と、保持具３２内部の温度を制御する温度制御部７とを備えている。
【００３８】
各圧力制御部６は、チューブ６１を介して保持具３２内部を加圧或いは減圧する圧力ポンプ６２と、このチューブ６１の圧力を検出する圧力センサ６４と、圧力ポンプ６２を制御する圧力制御回路６３とを備え、保持具３２内部を予め設定された一定圧に加圧して保つ機能や、保持具３２内部を減圧して保持具３２の体積を縮小させる機能を有している。
【００３９】
チューブ６１は、一端が保持具３２に接続され、他端が圧力ポンプ６２に接続され、圧力ポンプ６２からの圧力を保持具３２へ伝達する。
【００４０】
圧力ポンプ６２は、保持具３２内部と圧力制御部６内部間、及び保持具３２内部と温度制御部７内部間を連通して封入された気体などの封入体を利用して保持具３２内部を加圧または減圧する。
【００４１】
圧力センサ６４は、各チューブ６１に設けられ、圧力検出部が各チューブ６１内部に設置され、その圧力検出部に接続された信号線の一端が圧力制御回路部６３に接続されている。
【００４２】
圧力制御回路部６３は、保持具３２に備えられた圧力センサ６４から圧力信号を検出して処理を行う圧力信号処理回路と、圧力信号処理回路からの信号に基づいて圧力ポンプ６２の制御を行う圧力制御回路とを備えている。
【００４３】
各温度制御部７は、循環ポンプ７１と、一端が循環ポンプ７１の一端に接続され他端が保持具３２に接続されたチューブ７２と、循環ポンプ７１の他端に一端が接続された温度制御部７内部の封入体を加熱或いは冷却する温度調節器７３と、この温度調節器７３の他端に一端が接続され、他端が保持具３２に接続されたチューブ７４と、温度調節器７３内部の温度を検出する温度センサを含む温度検出回路７５と、検出した温度に基づいて温度調節器７３内部の封入体を予め設定された温度になるように制御する温度制御回路７６とを備えている。
【００４４】
そして、圧力制御部６で保持具３２内部を1気圧以上に加圧制御した場合、循環ポンプ７１が、温度調節器７３で加熱或いは冷却した封入体をチューブ７１を介して保持具３２内部に送り込むと共に、保持具３２内部から排出される封入体をチューブ７４を介して温度調節器７３に引き込むことにより、保持具３２内部が予め設定された温度に保つようになっている。
【００４５】
なお、温度検出回路７５の温度センサを保持具３２に設けて、保持具３２内部の温度を測定するようにしてもよい。
【００４６】
操作部８は、キーボードなどの入力デバイスや表示パネルなどを備え、保持部１を所望の位置へ移動させるための操作入力、サイド保持部３の保持具３２毎にその内部の圧力、温度等の設定入力などを行う。
【００４７】
次に、天板１１上への被検体Ｐの保持手順及び動作について説明する。まず被検体Ｐを保持部１に乗降させる場合、操作部８からの乗降操作の入力により、移動機構部４の操作で保持部１を乗降位置まで下げた後、圧力制御部６の操作によって保持具３２内部を減圧し、保持具３２の体積を縮小させる。
【００４８】
その後、サイド保持部３の各ガイド３４の側板３４ａ及び上板３４ｂの固定を解除して図２の点線で示したようにガイド支持台３１の下側に移動して、保持部１の上面を平坦面にすることにより、被検体Ｐを安全に乗降させることができる。
【００４９】
次いで、保持部１の天板１１上に載置された被検体Ｐを所定位置で保持する場合には、各ガイド３４及び保持具３２を図２のように被検体Ｐの体形に合わせて両側に設定配置し固定した後、保持具３２の封入体注入口にチューブ６１を接続する。
【００５０】
その後、操作部８からの保持操作の入力により、保持機構部５の圧力制御部６は、保持具３２内部が予め設定された圧力になるまでチューブ６１を介して保持具３２に封入体を圧送し膨らませる。そして、圧力センサ６４からの信号が予め設定された圧力に達した後は、圧力制御部６で保持具３２内部を一定圧に保つ。
【００５１】
また、保持機構部５の温度制御部７は、予め設定された温度に温度調整された封入体をチューブ７２を介して保持具３２の内部に送り込むと共に、保持具３２内部の封入体を排出させて、保持具３２内部を設定温度付近に保つ。
【００５２】
なお、２対以上の保持具３２及びガイド３４をガイド支持台３１に設定配置した場合、１対毎に被検体Ｐの保持位置は異なるので、ガイド３４毎にＬ１方向の適切な位置に固定し、また保持具３２毎に圧力を設定する。
【００５３】
以上の保持動作により、サイド保持部３は、天板１１上に載置された被検体Ｐを、保持具３２からの一定圧で被検体Ｐの両側面に圧接した面で保持するので、被検体Ｐの位置ずれを防ぐと共に、被検体Ｐに与える圧迫感を和らげて精神的ゆとりを与えることができる。
【００５４】
また、温度制御部７からの保持具３２の温度調整動作により、予め設定された温度、例えば被検体Ｐの体温に近い温度で保持具３２を被検体Ｐに接触させることができ、例えば冷やすと患部に痛みを伴う被検体Ｐに対しても苦痛を和らげることができる。
【００５５】
次に、検査或いは治療のために被検体Ｐを画像診断装置の撮影部或いは放射線治療装置の放射線照射部へ移動する場合には、操作部８からの移動操作の入力により、移動機構部４の移動機構制御部４２は、移動機構４１に保持部１を撮影部或いは放射線照射部の高さまで上下移動させ、更に保持部１を長手方向へ水平移動または水平方向へ回動させて撮影部或いは放射線照射部の位置に設定する。そして、保持部１を設定した位置で被検体Ｐの検査或いは放射線治療が行われる。
【００５６】
検査或いは治療後、操作部８からの移動操作の入力により、移動機構部４の移動機構制御部４２は、移動機構４１に保持部１を被検体Ｐを乗降位置へ移動させる。
【００５７】
次いで、被検体Ｐを保持部１に乗降させる場合、操作部８からの乗降操作の入力により、移動機構部４が保持部１を乗降位置まで下げた後、圧力制御部６が保持具３２内部を減圧し、保持具３２の体積を縮小させる。その後、サイド保持部３の各ガイド３４の側板３４ａ及び上板３４ｂの固定を解除してガイド支持台３１の下側に移動して、保持部１の上面を平坦面にすることにより、被検体Ｐを安全に乗降させることができる。
【００５８】
以上述べた本発明の実施例によれば、天板上に載置される被検体を、柔軟で弾力性を有するサイド保持部からの一定圧で被検体の両側面から押圧して保持することにより、被検体の位置ずれを防ぐと共に、被検体に対して圧迫感を和らげて精神的ゆとりを与えることができるので、診断及び治療を正確に行うことができる。
【００５９】
また、サイド保持部を被検体に対して適温に制御することで、冷やすと患部に痛みを伴うような被検体の苦痛を和らげることができる。
【００６０】
更に、保持具内部を減圧して保持具の体積を縮小させ、ガイドの固定を解除して、天板の下方に移動させることにより、被検体を安全に乗降させることができる。
【図面の簡単な説明】
【００６１】
【図１】本発明の実施例に係る寝台装置の構成を示す斜視図。
【図２】本発明の実施例に係る寝台装置の構成を示すブロック図。
【図３】本発明の実施例に係るサイド保持部の構成を示す図。
【符号の説明】
【００６２】
Ｐ  被検体
１  保持部
２  寝台部
３  サイド保持部
４  移動機構部
５  保持機構部
６  圧力制御部
７  温度制御部
８  操作部
９  寝台制御部
１０  寝台装置
３１  ガイド支持台
３２  保持具
３４  ガイド
【図１】
2006136618.tif 000003
【図２】
2006136618.tif 000004
【図３】
2006136618.tif 000005